(57)【特許請求の範囲】
【請求項１】
ロール状のフィルムをプリスキャンして順次駒画像を読み取り、この読み取った駒画像を基にした駒画像表示をして、この駒画像に対応したプリントを作成するための補正情報を入力し、この補正情報を基に本スキャンを行ないプリントするプリント作成方法において、前記プリスキャンにより読み取った順に前記読み取った駒画像を基にした駒画像の表示を開始し、この順次表示される駒画像に対応したプリントを作成するための補正情報を入力し、全ての前記ロール状のフィルムの駒画像に対する前記補正情報の入力が終了する前に前記全ての駒画像に対する前記プリスキャンが終了すると、プリスキャンが遅くされた順に前記読み取った駒画像を基にした駒画像を表示して駒画像に対応したプリントを作成するための補正情報を入力することを特徴とするプリント作成方法。
【請求項２】
前記プリスキャンを遅くされた順に本スキャンを行なうことを特徴とする請求項１に記載のプリント作成方法。
【請求項３】
ロール状のフィルムをプリスキャンして順次駒画像を読み取り、この読み取った駒画像を基にした駒画像表示をして、この駒画像に対応したプリントを作成するための補正情報を入力し、この補正情報を基に本スキャンを行ないプリントするプリント作成装置において、前記プリスキャンにより読み取った順に前記読み取った駒画像を基にした駒画像の表示を開始可能にする駒画像表示指示手段と、この順次表示される駒画像に対応したプリントを作成するための補正情報を入力し、全ての前記ロール状のフィルムの駒画像に対する前記補正情報の入力が終了する前に前記全ての駒画像に対する前記プリスキャンが終了すると、プリスキャンが遅くされた順に前記読み取った駒画像を基にした駒画像を表示して駒画像に対応したプリントを作成するための補正情報を入力可能にする画像処理手段と、を有することを特徴とするプリント作成装置。
【請求項４】
前記プリスキャンを遅くされた順に本スキャンを行なうことを特徴とする請求項3に記載のプリント作成装置。
【発明の詳細な説明】
【０００１】
【発明の属する技術分野】
この発明は、プリント作成方法及びプリント作成装置に関するものである。
【０００２】
【従来の技術】
例えば、ロール状のフィルムからのプリント作業を行なう場合、まずプリスキャンして駒画像をＣＲＴに表示し、これを見てオペレータが補正を行い、補正情報を元に本スキャンを行ない、所定のプリントを得るものがある。
【０００３】
このようにＣＲＴにプリスキャン画像を表示し、オペレータが補正を加えた後プリントを行う手法には、図９及び図１０に示すものがある。
【０００４】
図９に示すものは、ロール状のフィルムＦをスキャナ１００にセットし、フィルムＦを矢印方向へ送りプリスキャン開始し、スキャナ１００からの駒画像データをコンピュータ１０１に送り、この駒画像をＣＲＴ１０２に表示する。このＣＲＴ１０２への表示は、１本分全ての駒画像データの読み込み自動補正を行ない、この自動補正を行なった後に駒画像を表示して追加補正を行ない、その後に補正情報を元に本スキャンしてプリントを行なう。
【０００５】
図１０に示すものは、ロール状のフィルムＦをスキャナ１００にセットし、フィルムＦを矢印方向へ送りプリスキャンを開始し、１駒画像ずつＣＲＴに表示し、オペレータが補正を行ない、本スキャンしてプリントするものがある。
【０００６】
【発明が解決しようとする課題】
ところで、図９に示すものでは、プリスキャンで１本分全ての駒画像データの読み込み自動補正を行なう間は、オペレータは何も作業できないし、追加補正の入力が終了するまでは本スキャンしてプリントすることができず無駄な待ち時間が多い。また、図１０に示すものでは、１駒画像ずつの作業であり、その都度切換の時間が無駄になる。
【０００７】
このようにいずれの場合にも、オペレータやプリンタの無駄な待ち時間が多く、非効率な作業形態となっていた。
【０００８】
この発明は、前記の実情に鑑みてなされたもので、所定のプリント処理手順とすることで、無駄な待ち時間を最小化できるプリント作成方法及びプリント作成装置を提供することを目的としている。
【０００９】
【課題を解決するための手段】
前記課題を解決し、かつ目的を達成するために、この発明は、以下のように構成した。
【００１４】
請求項1記載の発明は、『ロール状のフィルムをプリスキャンして順次駒画像を読み取り、この読み取った駒画像を基にした駒画像表示をして、この駒画像に対応したプリントを作成するための補正情報を入力し、この補正情報を基に本スキャンを行ないプリントするプリント作成方法において、前記プリスキャンにより読み取った順に前記読み取った駒画像を基にした駒画像の表示を開始し、この順次表示される駒画像に対応したプリントを作成するための補正情報を入力し、全ての前記ロール状のフィルムの駒画像に対する前記補正情報の入力が終了する前に前記全ての駒画像に対する前記プリスキャンが終了すると、プリスキャンが遅くされた順に前記読み取った駒画像を基にした駒画像を表示して駒画像に対応したプリントを作成するための補正情報を入力することを特徴とするプリント作成方法。』である。
【００１５】
この請求項1記載の発明によれば、プリスキャンにより読み取った順に読み取った駒画像を基にした駒画像の表示を開始し、この順次表示される駒画像に対応したプリントを作成するための補正情報を入力し、全てのロール状のフィルムの駒画像に対する補正情報の入力が終了する前に全ての駒画像に対するプリスキャンが終了すると、プリスキャンが遅くされた順に読み取った駒画像を基にした駒画像を表示して駒画像に対応したプリントを作成するための補正情報を入力するから、オペレータの補正情報の入力が遅い場合でも、例えば前半の駒画像の補正情報の入力中に、プリスキャンが終了すると、次のプリントの先頭駒画像から表示して補正情報の入力を行ないプリントを開始し、補正情報の入力終了後に前半部分のプリントを行なうことができ、オペレータやプリンタの待ち時間を最小限にできる。
【００１６】
請求項2記載の発明は、『前記プリスキャンを遅くされた順に本スキャンを行なうことを特徴とする請求項１に記載のプリント作成方法。』である。
【００１７】
この請求項2記載の発明によれば、プリスキャンを遅くされた順に本スキャンを行なうから、ロール状のフィルムの往復移動でスキャンが完了するため、スキャンによってフィルムを傷付けることが防止され、フィルム移動に要する時間を短縮できる。
【００２６】
請求項3記載の発明は、『ロール状のフィルムをプリスキャンして順次駒画像を読み取り、この読み取った駒画像を基にした駒画像表示をして、この駒画像に対応したプリントを作成するための補正情報を入力し、この補正情報を基に本スキャンを行ないプリントするプリント作成装置において、前記プリスキャンにより読み取った順に前記読み取った駒画像を基にした駒画像の表示を開始可能にする駒画像表示指示手段と、この順次表示される駒画像に対応したプリントを作成するための補正情報を入力し、全ての前記ロール状のフィルムの駒画像に対する前記補正情報の入力が終了する前に前記全ての駒画像に対する前記プリスキャンが終了すると、プリスキャンが遅くされた順に前記読み取った駒画像を基にした駒画像を表示して駒画像に対応したプリントを作成するための補正情報を入力可能にする画像処理手段とを有することを特徴とするプリント作成装置。』である。
【００２７】
この請求項3記載の発明によれば、プリスキャンにより読み取った順に読み取った駒画像を基にした駒画像の表示を開始し、この順次表示される駒画像に対応したプリントを作成するための補正情報を入力し、全てのロール状のフィルムの駒画像に対する補正情報の入力が終了する前に全ての駒画像に対するプリスキャンが終了すると、プリスキャンが遅くされた順に読み取った駒画像を基にした駒画像を表示して駒画像に対応したプリントを作成するための補正情報を入力するから、オペレータの補正情報の入力が遅い場合でも、例えば前半の駒画像の補正情報の入力中に、プリスキャンが終了すると、次のプリントの先頭駒画像から表示して補正情報の入力を行ないプリントを開始し、補正情報の入力終了後に前半部分のプリントを行なうことができ、この時間だけがオペレータの待ち時間となり、作業時間を節約できる。
【００２８】
請求項4記載の発明は、『前記プリスキャンを遅くされた順に本スキャンを行なうことを特徴とする請求項3に記載のプリント作成装置。』である。
【００２９】
この請求項4記載の発明によれば、プリスキャンを遅くされた順に本スキャンを行なうから、ロール状のフィルムの往復移動でスキャンが完了するため、スキャンによってフィルムを傷付けることが防止され、フィルムの移動に要する時間が少なくて済む。
【００３４】
【発明の実施の形態】
以下、この発明のプリント作成方法及びプリント作成装置の実施の形態を、図面に基づいて説明する。なお、この発明のプリント作成方法及びプリント作成装置は、この実施の形態に限定されるものではない。
【００３５】
図１はプリント作成装置の斜視図である。ここでは、プリント作成装置として、感光材料に露光して現像し、プリントを作成するものが例示されているが、これに限らず、画像データに基づいてプリントを作成できるものであればいかなるものでもよく、例えば、インクジェット方式、電子写真方式のプリント作成装置であってもよい。
【００３６】
この実施の形態のプリント作成装置１は、装置本体２の左側面にマガジン装填部３を備え、装置本体２内には記録媒体である感光材料に露光する露光処理部４と、露光された感光材料を現像処理して乾燥し、プリントを作成する現像処理部５が備えられ、作成されたプリントは装置本体２の右側面に設けられたトレー６に排出される。さらに、装置本体２の内部には、露光処理部４の上方位置に制御部７が備えられている。
【００３７】
また、装置本体２の上部には、ＣＲＴ８が配置されている。ＣＲＴ８の左側に透過原稿読み込み装置であるところのフィルムスキャナ部９が配置され、右側に反射原稿入力装置１０が配置されている。フィルムスキャナ部９や反射原稿入力装置１０から読み込まれる原稿として写真感光材料があり、この写真感光材料としては、カラーネガフィルム、カラーリバーサルフィルムが挙げられる。フィルムスキャナ部９のフィルムスキャナーでデジタル情報に変換し、駒画像情報とすることができる。また、写真感光材料がカラーペーパーの場合、反射原稿入力装置１０のフラットベットスキャナーで駒画像情報にすることができる。
【００３８】
ＣＲＴ８の前側に操作部１１が配置され、この操作部１１に情報入力手段１２が設けられ、情報入力手段１２は、例えばタッチパネル等で構成される。
【００３９】
また、装置本体２の制御部７の位置には、ＰＣカード１３を差し込み可能なＰＣカードセット部１４が設けられており、ＰＣカード１３にはデジタルカメラで撮像して複数の駒画像データが記憶されたメモリを有する。この発明でいう駒画像データが記憶されたメモリを有するＰＣカードとは、例えばフラッシュＡＴＡカードやＰＣカードアダプタに接続されたコンパクトフラッシュカードやスマートメディア等を示す。
【００４０】
図２はプリント作成装置の概略構成図である。
【００４１】
プリント作成装置１の制御部７は、情報入力手段１２からの指令情報に基づき、フィルムスキャナ部９や反射原稿入力装置１０からの原稿情報の読み込みを行い、画像データを得てＣＲＴ８に表示する。また、データ蓄積手段７１を備え、データ蓄積手段７１に画像データとそれに対応する注文情報（どの駒の画像から何枚プリントを作成するかの情報、プリントサイズの情報等）とを記憶し順次蓄積する。フィルムスキャナ部９からは、現像済のネガフィルムＮからの駒画像が入力され、反射原稿入力装置１０からは駒画像を印画紙に焼き付けて現像処理したプリントＰからの駒画像が入力される。また、制御部７は、画像処理部７０を有し、この画像処理部７０で画像データを画像処理して露光用画像データを形成し、露光処理部４に送る。露光処理部４では、感光材料に画像の露光が行われ、この感光材料を現像処理部５に送り、現像処理部５では露光された感光材料を現像処理して乾燥し、プリントを作成する。
【００４２】
このプリント作成装置１は、記録媒体から駒画像データを入力する駒画像入力手段８０と、テンプレートのデータを記憶するテンプレート記憶手段８１と、テンプレート記憶手段８１に記憶された所定のテンプレートを選択する選択手段８２とを有する。駒画像入力手段８０は、フィルムスキャナ部９、反射原稿入力装置１０及びＰＣカードセット部１４等から構成され、ネガフィルムＮ、プリントＰ及びＰＣカード１３等の記録媒体から駒画像データを入力する。テンプレート記憶手段８１には、背景画像と合成領域を設定する少なくとも１個のテンプレートのデータが予め記憶されている。選択手段８２は、操作部１１に備えられ、オペレータの操作によりセットしてテンプレート記憶手段８１に予め記憶された複数のテンプレートから所定のテンプレートを選択し、駒画像データは選択されたテンプレートにより合成し、入力された駒画像データのプリントを作成する。このテンプレートによる合成は、周知のクロマキー法によって行なわれる。
【００４３】
なお、表示手段Ａ、データ蓄積手段７１、テンプレート記憶手段８１、制御部７、フィルムスキャナ部９、反射原稿入力装置１０及びＰＣカードセット部１４は、装置本体２に一体的に設けられているが、いずれか１つ以上を別体として設けてもよい。この場合には、プリント作成装置１は、プリント作成システムとして扱われる。
【００４４】
このプリント作成装置１は、フィルムスキャナ部９から図３及び図４に示すように現像済のネガフィルムＮからの駒画像が入力され、この駒画像の補正を行なう。図３はネガフィルムから駒画像を入力してプリントする概略構成図、図４はプリント手順を説明する図である。
【００４５】
このプリント作成装置１は、ロール状のネガフィルムＮをフィルムスキャナ部９へセットし、矢印Ａ方向へ送りプリスキャンして順次駒画像を読み取り画像データを制御部７の画像処理部７０へ送る。画像処理部７０では、画像データの自動補正を行ない、この自動補正を行なった駒画像をＣＲＴ８に表示する。オペレータは、操作部１１の操作やＣＲＴ８のタッチパネル８ａの操作により補正情報の入力を行なう。この補正情報を基に、ネガフィルムＮを矢印Ｂ方向へ送り本スキャンを行ない、画像処理部７０では、補正された画像データを露光処理部４のドライブ回路４０へ送り、このドライブ回路４０により露光ヘッド４１を駆動してデジタル画像露光を行ない印画紙４２に焼き付ける。この露光された印画紙４２を現像処理部５へ送り、現像処理部５で現像処理して図５乃至図８に示すようなプリントＰ１〜Ｐ３を作成する。
【００４６】
このようにプリント作成装置１は、ロール状のフィルムをプリスキャンして順次駒画像を読み取り、この読み取った駒画像を基にした駒画像表示して、この駒画像に対応したプリントを作成するための補正情報を入力し、この補正情報を基に本スキャンを行ないプリントするものであり、画像処理部７０は、駒画像表示指示手段７２と、画像処理手段７３と、プリント処理手段７４とを有し、プリント手順が図４に示すように行なわれる。
【００４７】
ネガフィルムＮをフィルムスキャナ部９へセットし、矢印Ａ方向へ送りネガフィルムＮの先端からプリスキャンを開始すると同時に、駒画像表示指示手段７２によりプリスキャンにより読み取った順に読み取った駒画像を基にした駒画像の表示を開始可能にする。画像処理手段７３では、画像データの自動補正を行ない、この自動補正を行なった駒画像をＣＲＴ８に表示し、順次表示される駒画像に対応したプリントを作成するための補正情報を入力可能にする。オペレータは、表示された駒画像を見て追加の補正情報の入力を行なう。
【００４８】
このようにプリスキャンにより読み取った順に読み取った駒画像を基にした駒画像の表示を開始し、この順次表示される駒画像に対応したプリントを作成するための補正情報を入力するから、オペレータのプリスキャンの待ち、補正情報の入力待ち等の待ち時間を最小限に抑えることができる。
【００４９】
プリント処理においては、プリスキャン１駒画像毎にＣＲＴに画像表示する際、簡単には読み取った画像情報に予め定められた階調変換を施し、そのまま表示する方法もあるが、この方法では撮影時の露光量の過不足、光源（自然光、白熱電球、蛍光灯など）、被写体（色調、明暗）等の条件による表示画像の不良の割合が高く、オペレータの追加の補正情報の必要量が多くなり作業効率が低下しがちである。
【００５０】
そこで、公知の色補正手法、濃度補正手法を用いて色・濃度補正値を求め、これら補正値に基づいて階調変更条件を定めれば、ＣＲＴに表示された画像の多くは最初から良好な色調、明暗を有しており、オペレータによる追加補正情報の量を最小限度に抑えることができる。
【００５１】
この１駒分のプリスキャン画像で色補正する手法として、例えば特開平９−２９４２１５号の色補正方法、また特開平９−２６１５０５号の色補正条件算出方法等がある。この例えば特開平９−２９４２１５号の色補正方法では、両面を複数の画素に分割して測光、採取（プリスキャン画像）したものを、画像内のニュートラル画素（無彩色部分の画素）を抽出し、抽出したニュートラル画像データと、プリスキャン画像データの平均値から、画像の色調を良好に再現するための色補正値を算出する。
【００５２】
また、１駒分のプリスキャン画像で濃度補正する手法として、例えば特開平５−９３９７３号の写真焼き付け露光量決定方法があり、両面を複数の画素に分割して測光、採取（プリスキャン画像）したものを、プリスキャン画像情報から複数の画像特性値を求め、この画像特性値を用いて、予め定められた複数の集合の内、どの集合に属するか判別し、判別されたグループ毎に予め定められた回帰式により、画像の濃度（明暗）を好ましく再現するための濃度補正値を算出する。
【００５３】
この実施の形態では、ＣＲＴ８にネガフィルムＮの先端からの１駒画像ずつ順次表示し、１画面に６駒画像ずつ表示するように構成されているが、切換によって１駒画像ずつ表示することもできる。オペレータは、ＣＲＴ８に表示された駒画像を見て追加の補正情報の入力を行なうから、プリスキャンの待ち、補正情報の入力待ち等の待ち時間を最小限に抑えることができる。
【００５４】
このようにプリスキャン開始と同時に、このプリスキャンによる読み込み駒画像の表示を開始し、駒画像を見て追加の補正情報の入力を行ない、ネガフィルムＮの後端の駒画像の補正情報の入力の終了後に補正情報を基にネガフィルムＮを後端から矢印Ｂ方向へ送り本スキャンを行なうが、オペレータの補正情報の入力が早い場合には、プリスキャン終了とほぼ同時にオペレータの補正情報の入力が終了する。
【００５５】
そして、プリスキャンを遅くされた順に本スキャンを行なうと、ロール状のフィルムの往復移動でスキャンが完了するため、スキャンによってフィルムを傷付けることが防止される。また、本スキャンにより読み取った駒画像を基にプリントを作成すると、例えば他の画像と合成して容易に特殊プリント等を作成することができる。さらに、本スキャンにより読み取った駒画像の画素数が、プリスキャンで読み取った駒画像の画素数より多くなっており、プリスキャンの処理が迅速であり、一方本スキャンによるプリントは高画質である。
【００５６】
オペレータの補正情報の入力が遅い場合には、画像処理手段７３により順次表示される駒画像に対応したプリントを作成するための補正情報を入力し、全てのロール状のフィルムの駒画像に対する補正情報の入力が終了する前に全ての駒画像に対するプリスキャンが終了すると、プリスキャンが遅くされた順に読み取った駒画像を基にした駒画像を表示して駒画像に対応したプリントを作成するための補正情報を入力可能であるから、例えば前半の駒画像の補正情報を入力中に、プリスキャンが終了すると、画像処理手段７３によりプリントを行なう順の先頭の駒画像から表示して補正情報が入力可能であり、プリントの先頭駒画像から表示して補正情報を入力を行ない、プリント条件（階調補正条件）決定し、プリント処理手段７４により補正情報の入力が終了したプリント先頭駒からプリントを開始するから、無駄なプリンタの待ち時間がない。この場合、補正情報の入力終了後に前半部分のプリントを行なうことができ、このプリント時間だけがオペレータの待ち時間となる。
【００５７】
このようにプリント処理手段７４により補正情報の入力が終了したプリント順の先頭駒から補正情報を元に本スキャンを行なうから、無駄な待ち時間なくプリントを行なうことができる。
【００５８】
また、条件によっては、プリスキャンによりＣＲＴ８に表示される駒画像が、読み込み順を前後逆に表示される場合があり、駒画像順が重要な写真の場合には、従来の手法のような単純なプリント作業手順を選択できるよう切換え手段を持っていることが好ましい。
【００５９】
更にこの発明の場合、１駒画像のプリスキャンが終了した時点で、ＣＲＴ８に画像を表示する必要があり、オペレータの追加補正量をできるだけ少なくするため、前記したような、適当なプリント補正量を自動的に求める処理を１駒毎に行うことが好ましい。
【００６０】
この実施の形態では、デジタルプリンタによりプリントを行なっているが、この発明は光学露光方式によるプリンタ（従来のミニラボ等）にも同様に応用できる。このプリンタの例では、プリスキャン、自動補正（色・濃度補正、その他）、ＣＲＴへのシュミレーション画像表示、オペレータの追加補正については、前記したデジタルプリンタの例と同じであるが、プリント時の露光条件（露光時間）の決定と、この条件での印画紙への光学的な焼付け露光の部分が異なり、以降の現像処理は、デジタル方式のプリンタと同一である。
【００６１】
図５乃至図８は駒画像データのプリントの実施の形態を示す。図５の実施の形態の駒画像データのプリントＰ１は、１個の駒画像データを１枚の記録媒体に記録して作成するものであり、所定の模様を有する背景画像Ｐ１ａに、方形の合成領域Ｐ１ｂを設定し、この合成領域Ｐ１ｂに１個の駒画像を合成して記録される。このように１個の駒画像データを１枚の記録媒体のプリントＰ１に記録することで、例えば顧客の注文に応じて財布や定期等に入れたりすることが可能な好みの特殊プリントを作成することができる。
【００６２】
図６の実施の形態の駒画像データのプリントＰ２は、複数の駒画像を１枚の大判の記録媒体に記録して作成するものであり、所定の模様を有する背景画像Ｐ２ａに、３箇所に比較的大きな合成領域Ｐ２ｂを千鳥状に位置をずらして設定し、この３箇所の合成領域Ｐ２ｂにそれぞれ１個の駒画像が合成して記録される。
【００６３】
図７の実施の形態の駒画像データのプリントＰ３は、複数の駒画像を１枚の大判の記録媒体に記録して作成するものであり、所定の模様を有する背景画像Ｐ３ａに、１０箇所に比較的大きな合成領域Ｐ３ｂを整列して設定し、この１０箇所の合成領域Ｐ３ｂにそれぞれ１個の駒画像が合成して記録される。
【００６４】
また、図８に示すように駒画像データのプリントＰ３には、背景の中に切り取り線Ｐ３ｃを記録してもよく、この切り取り線Ｐ３ｃによって容易に、かつ奇麗に切断して財布や定期等に入れたりすることが可能な好みの特殊プリントを作成することができる。
【００６５】
このように図５乃至図８の実施の形態では、複数の駒画像を有する記録媒体から駒画像データを入力し、背景画像と合成領域を設定する所定のテンプレートを選択し、駒画像データを選択されたテンプレートにより合成し、入力された駒画像データの全てのプリントを行なうことで、注文に応じて背景を有し、かつレイアウトが自由な特殊プリントを作成することができる。
【００６８】
【発明の効果】
前記したように、請求項1記載の発明のプリント作成方法では、プリスキャンにより読み取った順に読み取った駒画像を基にした駒画像の表示を開始し、この順次表示される駒画像に対応したプリントを作成するための補正情報を入力し、全てのロール状のフィルムの駒画像に対する補正情報の入力が終了する前に全ての駒画像に対するプリスキャンが終了すると、プリスキャンが遅くされた順に読み取った駒画像を基にした駒画像を表示して駒画像に対応したプリントを作成するための補正情報を入力するから、オペレータの補正情報の入力が遅い場合でも、例えば前半の駒画像の補正情報の入力中に、プリスキャンが終了すると、次のプリントの先頭駒画像から表示して補正情報の入力を行ないプリントを開始し、補正情報の入力終了後に前半部分のプリントを行なうことができ、プリンタの無駄な待ち時間を短縮できる。
【００６９】
請求項2記載の発明のプリント作成方法では、プリスキャンを遅くされた順に本スキャンを行なうから、ロール状のフィルムの往復移動でスキャンが完了するため、スキャンによってフィルムを傷付けることが防止される。
【００７４】
請求項3記載の発明のプリント作成装置では、プリスキャンにより読み取った順に読み取った駒画像を基にした駒画像の表示を開始し、この順次表示される駒画像に対応したプリントを作成するための補正情報を入力し、全てのロール状のフィルムの駒画像に対する補正情報の入力が終了する前に全ての駒画像に対するプリスキャンが終了すると、プリスキャンが遅くされた順に読み取った駒画像を基にした駒画像を表示して駒画像に対応したプリントを作成するための補正情報を入力するから、オペレータの補正情報の入力が遅い場合でも、例えば前半の駒画像の補正情報の入力中に、プリスキャンが終了すると、次のプリントの先頭駒画像から表示して補正情報の入力を行ないプリントを開始し、補正情報の入力終了後に前半部分のプリントを行なうことができ、プリンタの無駄な待ち時間を短縮できる。
【００７５】
請求項4記載の発明のプリント作成装置では、プリスキャンを遅くされた順に本スキャンを行なうから、ロール状のフィルムの往復移動でスキャンが完了するため、スキャンによってフィルムを傷付けることが防止される。
【図面の簡単な説明】
【図１】プリント作成装置の斜視図である。
【図２】プリント作成装置の概略構成図である。
【図３】ネガフィルムから駒画像を入力してプリントする概略構成図である。
【図４】プリント手順を説明する図である。
【図５】実施の形態の駒画像データのプリントを示す図である。
【図６】実施の形態の駒画像データのプリントを示す図である。
【図７】実施の形態の駒画像データのプリントを示す図である。
【図８】実施の形態の駒画像データのプリントを示す図である。
【図９】従来のプリント手順を説明する図である。
【図１０】従来のプリント手順を説明する図である。
【符号の説明】
１  プリント作成装置
４  露光処理部
５  現像処理部
７  制御部
８  ＣＲＴ
９  フィルムスキャナ部
１０  反射原稿入力装置
１１  操作部
１２  情報入力手段
７０  画像処理部
７１  データ蓄積手段
７２  駒画像表示指示手段
７３  画像処理手段
７４  プリント処理手段
８０  駒画像入力手段
８１  テンプレート記憶手段
８２  選択手段
【図１】
0003705468.tif 000002
【図２】
0003705468.tif 000003
【図３】
0003705468.tif 000004
【図４】
0003705468.tif 000005
【図５】
0003705468.tif 000006
【図６】
0003705468.tif 000007
【図７】
0003705468.tif 000008
【図８】
0003705468.tif 000009
【図９】
0003705468.tif 000010
【図１０】
0003705468.tif 000011